(57)【要約】【課題】  本発明は、インシュリンポンプと血糖測定器に無線通信が可能な無線通信チップを内蔵して相互交信でインシュリンポンプを駆動するようにし、別途の無線通信装置をサーバーと連携し、インシュリンポンプと血糖測定器を制御可能とする無線交信が可能なインシュリンポンプ制御方法に関する。【解決手段】  該当するインシュリンポンプ５００と血糖測定器６００にＩＤを各々付与し（Ｓ０）、続けて該当するＩＤの血糖測定器から血糖値データが入力されたかを確認し（Ｓ１）、入力されたデータを累積して異常可否を判断し（Ｓ２）、異常でなければ既存どおり作動するよう指示し（Ｓ３）、異常があればインシュリンポンプ作動量を変更するよう指示して第１段階(Ｓ１)を実行するようにし(Ｓ４)、前記段階(Ｓ1)でデータ入力がなかったら機器の故障としてみなし、警報する段階(Ｓ５)を順次実行する。【選択図】      図１２
2005296428.tif 000002
【特許請求の範囲】
【請求項１】
無線通信チップ７００を各々内蔵したインシュリンポンプ５００及び血糖測定器６００と前記無線通信チップ７００と別途の送受信部３５０と通信制御部３４０からなる無線通信装置３００と、
前記無線通信装置３００と送受信する無線通信チップ７００を内蔵した本体８１０と、モニター８２０とキーボード８３０とからなっているコンピュータ８００を含み構成され、
該当するインシュリンポンプ５００と血糖測定器６００にＩＤを個々に付与し（Ｓ０）、続いて該当するＩＤの血糖測定器から血糖値データが入力されたかをインシュリンポンプで確認し（Ｓ１）、
入力されたデータを累積して異常可否を判断し（Ｓ２）、
異常がなければ既存どおり作動するよう指示し（Ｓ３）、
異常があればインシュリンポンプ作動量を変更するよう指示して第１段階(Ｓ1)を実行するようにし(Ｓ４)、
前記段階(Ｓ１)でデータ入力がなければ機器の故障とみなして非常警報を鳴らし、機器対象者を直接探して処理するように警報する段階(Ｓ５)を順次実行することを特徴とする無線交信が可能なインシュリンポンプ制御方法。
【請求項２】
前記段階（Ｓ１）に続いて入力を受けたインシュリンポンプ機器が、サーバーで設定された機器の場合、対応する血糖測定器機器ごとに区分された測定データを累積し、異常可否を判断し(Ｓ６)、
前記段階（Ｓ６）で異常と判断する場合、該当ＩＤに対応するインシュリンポンプの注入量を変更し(Ｓ７)、異常がなければ前記段階（Ｓ３）を更に実行することを特徴とする請求項１に記載の無線交信が可能なインシュリンポンプ制御方法。
【請求項３】
インシュリンポンプ(Ｐ１−Ｐｎ)と対応する血糖測定器(Ｂ１−Ｂｎ)が個々の無線通信チップ７００を内蔵して相互通信を可能とし、同時に集中制御機能を有する無線通信装置３００を具備し、無線通信装置３００は、本体８１０に無線通信チップ７００を内蔵したコンピュータ８００と交信してデータを送受信可能に構成され、
本体８１０では初期に基本設定モードを実行するよう指令し(Ｈ１)、対応する機器による血糖値が入力されたら(Ｈ２)、血糖値に相応する設定注入量を注入するように対応するインシュリンポンプの駆動を指令し(Ｈ３)、
前記段階(Ｈ３)で医師モードが必要な場合(Ｈ４)、医師モードによるインシュリンポンプの駆動を最優先で実行するようにし(Ｈ５)、
医師モードが完了したら前記段階(Ｈ１)を実行するようにする段階(Ｈ６)を順次実行することを特徴とする無線交信が可能なインシュリンポンプ制御方法。
【発明の詳細な説明】
【技術分野】
【０００１】
本発明は、インシュリンポンプと血糖測定器に無線通信が可能な無線通信チップを内蔵して相互交信によりインシュリンポンプを駆動するようにし、別途の無線通信装置をサーバーと連携し、インシュリンポンプと血糖測定器を個別に制御可能にできるようにする無線交信が可能なインシュリンポンプ制御方法に関するものである。
【背景技術】
【０００２】
２０世紀の代表的な文明病と言われる糖尿病は、世界人口の約６０憶中1億以上がこの病気で苦労しており、韓国では２百万人程度が糖尿病患者として推定されており、内科患者の１０％程度が糖尿病患者である。今まで糖尿は完治する病気ではなく調節する病気として認識されてきた。調節に失敗すると、各種合併症を伴い生命を失うことになる。このような糖尿病による国内死亡率も人口１０万人に対して１１．５人(１９９０年統計)と増加しており、恐ろしい病気として知られている。
【０００３】
糖尿病は、血糖値が空腹時に１４０ｍｇ／ｄｌ以上となる、又は食事時間の２時間後に２００ｍｇ／ｄｌ以上となる症状を示す病気である。そして、血糖値が上がる正確な原因はまだ究明されていない。
【０００４】
現在までに知られている理由としては、糖を同化するインシュリンに異常があるという程度である。インシュリンの異常は、インシュリンを分泌する膵臓のβ細胞がインシュリンを十分に生産できないため、インシュリンが不足した状態になるか、膵臓のβ細胞ではインシュリンを正常的に分泌しても、何らかの理由により該インシュリンの作用が劣って血糖同化を適当に行えず、いわゆるインシュリン抵抗性により血糖が高くなるというものである。現在、糖尿病の治療方法としては、食事療法、運動療法、薬物療法、インシュリン注射法に大別され、膵臓移植も試されている。
【０００５】
インシュリン注射法は、インシュリン依存型の糖尿患者に用いられる治療方法であるが、インシュリン非依存型の患者にも効果を奏する。インシュリン注射法は一日に１−２回のインシュリン注射を打つことが普遍化されている方法であるが、人体内で分泌されるインシュリンの量は一定でなく、食事時間を前後して３回は多量に分泌され、その他の時間には少量分泌されるため、人体内のインシュリン分泌量の平均値を注入せざるを得ない。このような１−２回注射法では、食後にはインシュリンが足りずに高血糖となる一方、夜にはインシュリンの量が多くなって低血糖になる。即ち、インシュリン供給が非正常化的となって体が非正常化するという短所がある。従って既存のインシュリン注射法が糖尿合併症の予防の手助けとならなかった原因もこのように正常者のインシュリン分泌量の変化を提供できなかったためである。従って、さらに改善された治療方法として提案されたものがインシュリンの注入量をコンピュータにより調節することで、人体内の正常的なインシュリン分泌に近づけるようにする、いわゆるインシュリンポンプ（機械的な人工膵臓器）と膵臓のβ細胞移植手術方法である。
【０００６】
一般的に、長時間注射用自動注射器(インシュリンポンプ、インシュリン注射器、インシュリン自動注射器等と呼称されている)は、注射シリンジを収容するハウジングにシリンジピストンを押すプッシュ手段が結合する構造からなる。これには日本公開実用昭和５２-３２９２号と米国特許第４，４１７，８８９号を挙げることができる。しかしながら、このような方式は使用法が複雑で老弱者が利用する際には不便な点があった。
【０００７】
このために使用が簡便、且つ小型化した韓国特許登録第０３０７１９１号のインシュリンポンプが本出願人により開発されている。これは、図1に示すように、使用後にシリンジの注射液を再充填する場合に、連結部材２及び蓋１１０をハウジング１２０から分離させ、使用済みのシリンジ２１と共に結合されたピストン１２２及び回転軸１３１を共にハウジング１２０から分離させる。この回転軸１３１と注射器のピストン１２２とを容易に目で確かめながら、初期状態にセッティングした上で、シリンジ２１に注射液を再充填したあとで、ピントンプッシュ手段１５０と結合した回転軸１３１の部分をハウジング１２０に対して上部から挿入し、その後、蓋１１０をハウジング１２０の上部に気密状態を形成しつつ結合する。そして、蓋１１０の上部で連結部材２を結合させる。前記蓋１１０に対応するハウジング１２０には、シリンジ２１と、ピストン１２２、ピストンプッシュ手段１５０及び、動力提供手段１３０を通して動力を提供する回転軸１３１を含む。前記ハウジング１２０には、制御基板（図示せず）に対する指令を入力する制御ボタン部１２３と、制御状態を表示するＬＣＤ等のディスプレイ部１２４と、電源を提供するバッテリーを固定するバッテリー蓋１２５と、リセット機能を実行するリセットボタン１２１を含む。１４０は床の蓋である。
【０００８】
図２は、このような注射器の制御回路の一例を示したブロック図であり、制御用指示を行なう制御ボタン部１２３と、制御ボタン部１２３の操作を認識するマイクロコンピュータ機能の制御部１７０と、認識されたデータを出力して表示するディスプレイ部１２４と、各種データ及びプログラムを格納するＲＯＭ１６５と、前記制御部１７０の制御出力によりモーター１６８を駆動させるモーター駆動部１６７と、モーター駆動部１６７によって回転力が制御されるモーター１６８と、モーター１６８の位相を感知するフォトカプラー１６９とを備えた構成を例示することができる。
【０００９】
前記制御部１７０の望ましい一例としては、同一機能の第１及び第２制御部１７１、１７２として構成され、少なくとも一つに異常が生じても機能を持続できるようにすることが良い。前記制御部１７１、１７２に示した端子(Ｐ１−Ｐ５及びＰ1´−Ｐ２´)は、データ及び／又はバスラインと連結するポートである。前記モーター６８はステッピングモーター、サーボモーターなとが挙げられる。
【００１０】
図３は、一般的な血糖測定器２００の一部断面図を示しており、血糖測定器２００は、測定ランプ２１１を制御するとともに測定ランプ２１１により測定された値を認識するように変換する制御部２１０と、測定ランプ２１１を貫通状態で露出させる測定ランプ孔２２１を有するとともに、測定プローブ２３０を嵌め込む挿入孔２２２を有する測定ハウジン２２３と、前記測定プローブ２３０の嵌め込み状態を固定するように測定ハウジン２２３に対して出没可能に配設された固定突起２２４とを含めて構成されている。前記測定プローブ２３０は、固定突起２２４が嵌め込まれる嵌込み孔２３１と、測定プローブ２３０を挿入孔２２２に嵌め込んだ場合に、測定ランプ２１１に対応する位置に形成された光透過孔２３３及び前記光透過孔２３３を覆う測定板２３５とを備えている。２４０は測定ハウジング２２３を固定結合するハウジングである。
【００１１】
図４は、図３の制御部２１０の一実施例を示したブロック図であり、マイクロコンピュータ２５０の指令及び測定ランプ２１１の測定値を受信する機能についての制御部２１０の構成を示している。
【００１２】
制御部２１０は、マイクロコンピュータ２５０の一端子(Ｐ７)を介した出力信号をアナログ信号に変換させるデジタルアナログ変換機２１２と、デジタルアナログ変換機２１２の変換出力に基づき、測定ランプ２１１の発光ランプ（２１１―1）を駆動させるランプ駆動部２１３と、発光ランプ（２１１−1）が発光した光について、測定板２３５で発射された光を受光する受光ランプ（２１１-２）を有する測定ランプ２１１と、測定ランプ２１１の受光ランプ（２１１-２）を介した受信光を受信し増幅させるランプ信号受信部２１４と、ランプ信号受信部２１４の受信出力をデジタル変換させて、マイクロコンピュータ２５０の端子(Ｐ７)に提供するアナログデジタル変換機２１５とを備えている。
【００１３】
図５は、図３及び図４の構成を通じて測定した血糖値の一例を示すグラフである。
【００１４】
一方、近距離で有線通信や赤外線通信を代替する近距離無線通信概念としてブルートゥース（登録商標）標準案（BLUETOOTH  PROTOCOL）がエリックソン（ERICSSON）社により提案され、ボイス及びデータの両方向の伝送が可能な近距離無線通信方法である前記ブルートゥース通信技法は、今後の通信端末機の分野に幅広く使用され得ると予想され、現在この様なブルートゥースの通信技法を携帯電話に適用して公共の場所における携帯電話の着信音問題を解決するための技術は提供されていない。これを解決しようとする技術が、例えば特許文献１に開示されており、これは図６及び図７に示すようなものである。
【００１５】
図６は、このようなブルートゥース通信装置とブルートゥース無線通信を実行する携帯電話の簡略構成図を示している。公共の場所に設置されているブルートゥース通信装置３００は、ブルートゥース無線通信距離内にあるすべての携帯電話４００を探し、これらに対してマナーモードへの転換のための制御動作を無線伝送で実行するようになっている。この時、前記ブルートゥース通信装置３００がマスター（MASTER）となり、前記ブルートゥース通信装置３００の通信距離以内にあるすべての携帯電話がスレーブ（SLAVE）となる。前記ブルートゥース通信装置３００が制御可能な携帯電話４００はブルートゥースモジュール４１０をそれ自体に備えていなければならない。
【００１６】
図７は、図６のブルートゥース通信装置３００のブロック構成図を示している。前記ブルートゥース通信装置３００は、ＲＦ送信部３１０、ＲＦ受信部３２０、基底帯域（BASEBAND）処理部３３０及び通信制御部３４０から構成される。前記ＲＦ送信部３１０、ＲＦ受信部３２０、基底帯域（BASEBAND）処理部３３０は送受信部３５０を構成している。
【００１７】
前記ＲＦ送信部３１０は、前記基底帯域処理部３３０において生成した無線送信用データパケットを設定された周波数帯域に変調増幅して送信する。
【００１８】
前記ＲＦ受信部３２０は、受信された周波数信号のノイズの増幅を最大限に抑制し、設定された周波数帯域の信号を増幅した後、低い周波数帯域に低めて前記基礎基底帯域処理部３３０に送信する。
【００１９】
前記基底帯域３３０は、前記通信制御部３４０から送信された各種HCI（HOST CONTROL INTERFACE）データパケットにアクセスコード及びヘッダーを付加してパケットフォーマットに変更するとともに、これを無線送信のための所定のデータパケットに変更し、前記ＲＦ送信部３１０を介して設定された周波数帯域で無線送信をして、前記ＲＦ受信部３２０を介して受信されたデータパケットを前記HCIパケットに変更して前記通信制御部３４０に送信する。
【００２０】
通信制御部３４０は、前記ブルートゥース通信装置の全般的な動作を制御し、前記基底帯域処理部３３０から入ってくるスレーブである携帯電話等の問い合わせ（Inquiry）応答メッセージ（問い合わせの応答データパケット）の受信を感知すると、前記携帯電話の各々とコネクションを設定した後、携帯電話の報知モードをマナーモードに強制転換するように制御する。
【特許文献１】韓国特許第０３４１９８８号明細書
【発明の開示】
【発明が解決しようとする課題】
【００２１】
前記のような技術は、各々の分野で使用されている技術であるが、インシュリンポンプと血糖測定器との間には無線交信技術が使用されておらず、患者が別々に用いるため、これを同時に使用しなければならない患者には不便であった。
【００２２】
本発明は、これを解消しようとするもので、血糖測定器の測定値に連動してインシュリンポンプがリアルタイムに作動可能なインシュリンポンプ制御方法を提供するものである。
【００２３】
本発明の他の目的は、遠隔制御が可能になるようにインシュリンポンプ制御方法を提供するものである。
【００２４】
本発明はまた、海外でも治療を受けたり指示できるようにするインシュリンポンプ制御方法を提供するものである。
【課題を解決するための手段】
【００２５】
即ち、本発明は無線通信チップをそれぞれ内蔵したインシュリンポンプ及び血糖測定器と、前記無線通信チップと別途の送受信部と通信制御部からなる無線通信装置と、前記無線通信装置と送受信する無線通信チップを内蔵した本体と、モニターとキーボードからなるコンピュータとを含んで構成され、該当するインシュリンポンプと血糖測定器にＩＤをそれぞれ付与し、引き続き該当するＩＤの血糖測定器から血糖値データが入力されたかどうかを確認し、入力されたデータを累積して異常可否を判断し、異常がなければ既存どおり作動するように指示し、異常があればインシュリンポンプ作動量を変更するように指示して第１段階を実行するようにし、前記段階でデータ入力がなければ器機の故障とみなして非常警報を出力し、器機対象者を直接探して処理するように警報する段階を順次実行する無線交信が可能なインシュリンポンプ制御方法を提供しようとするものである。
【００２６】
本発明は、また多数のインシュリンポンプと、これに対応する血糖測定器との全てに無線通信チップをそれぞれ内蔵させて相互通信ができるようにし、同時に集中制御機能を有する無線通信装置を備え、無線通信装置は、本体に無線通信チップを内蔵したコンピュータと交信してデータを送受信可能に構成され、本体では第１段階で初期に基本設定モードを実行するように指令し、第２段階で対応する器機から血糖値が入力されれば、第３段階で血糖値に相応する設定注入量を注入するように対応するインシュリンポンプの駆動を指令し、前記第３段階に引き続き、第４段階で医師モードが必要な場合、第５段階で医師モードによるインシュリンポンプの駆動を最優先で実行するようにし、医師モードが完了すれば前記第１段階を実行するようにする第６段階を順次実行することを特徴とする無線交信が可能なインシュリンポンプ制御方法を提供する。
【発明の効果】
【００２７】
本発明によれば、インシュリンポンプと血糖測定器にそれぞれ無線通信チップを内蔵させ、相互間の無線通信でインシュリンランプの作動が可能になるようにし、リアルタイムにインシュリンポンプの作動を可能にする。
【００２８】
また、本発明は多数台のインシュリンポンプと血糖測定器にＩＤを付与し、中央に無線通信装置を設置し交信を制御するようにし、中央の無線通信装置は、サーバー機能のコンピュータと連携し、各々の血糖値を無線で受信して対応する処方を対応インシュリンポンプに指令し、いちいち看護婦が患者のところに行くことなく、一度に患者に注入量を調節可能とし、病院の患者管理の効率性と迅速な処方を可能にすることができる。
【００２９】
併せてサーバーをインターネット網と連携させて海外でも医師が患者を処方できるようにする効果を提供する。
【発明を実施するための最良の形態】
【００３０】
以下、本発明の実施例について図面を参考にして詳しく説明する。
【００３１】
図８は、本発明のブロック構成図で、ブルートゥース（登録商標）チップ７００を各々内蔵したインシュリンポンプ５００及び血糖測定器６００と、前記ブルートゥースチップ７００と別途の送受信部３５０と通信制御部３４０からなるブルートゥース通信装置３００と、前記ブルートゥース通信装置３００と送受信するブルートゥースチップ７００を内蔵した本体８１０とモニター８２０とキーボード８３０からなるコンピュータ８００とを含めて構成する。必要時に、インターネット網と接続した他のコンピュータ８０１とデータを取り交わすように構成して使用することができる。
【００３２】
図９は、ブルートゥースチップが内蔵されたインシュリンポンプ５００の電気的な接続構造を示した構成図で、インシュリンポンプの駆動を指示する制御ボタン部１２３と、制御ボタン部１２３の操作を認識するマイクロコンピュータ機能を有する制御部１７０と、認識されたデータを出力して表示するディスプレイ部１２４と、各種データ及びプログラムを格納するＲＯＭ１６５と、前記制御部１７０の制御出力によりモーター１６８を駆動するモーター駆動部１６７と、モーター駆動部１６７によって注射器ピストンの駆動用の回転力が制御されるモーター１６８と、モーター１６８の位相を感知するフォトカプラー１６９を有するインシュリンポンプ制御回路において、インシュリンポンプを制御する制御部１７０にブルートゥースチップを認識するとともに、制御するための機能をプログラムに付加し、制御部の一端子（Ｐ６）にはブルートゥースチップ７００を連結させてブルートゥースチップ７００を制御するようにし、ブルートゥースチップ７００は、制御部１７０の指令を受信するとともに、制御部１７０にデータを送信するマイクロコンピュータ７１０と、マイクロコンピュータ７１０の指令によって基底帯域処理部７４０でデータパケットのヘッダー等を付加して送られてきた信号を変調し、ＲＦ信号として送信するＲＦ送信部７２０と、他のブルートゥースチップ７００を介して受信される信号を検波して受信するＲＦ受信部７３０と、マイクロコンピュータ７１０の指令（データパケット）に基づき、ヘッダー等を付加して無線送信のための送信データパケットとして変更してＲＦ送信部７２０に送り、受信データパケット内の送信者のＩＤとデータとを認識してデータパケットに変更して、マイクロコンピュータ７１０に送る基底帯域処理部７４０からなる。
【００３３】
図１０は、本発明の血糖測定器６００の構成ブロック図で、マイクロコンピュータ２５０と、マイクロコンピュータ２５０の指令によって測定ランプ２１１を駆動するデジタルアナログ変換機２１２と、ランプ駆動部２１３と、測定ランプ２１１の測定値を受信するランプ信号受信部２１４と、ランプ信号受信部２１４の信号をデジタル信号に変換してマイクロコンピュータ２５０に送るアナログデジタル変換機２１５とを備え、血糖値を測定できるようになっている血糖測定器において、マイクロコンピュータ２５０の一端子（Ｐ８）にブルートゥースチップ７００を接続し、マイクロコンピュータ２５０は、ブルートゥースチップ７００とデータを取り交わすことができる機能（プログラム）を内蔵し、インシュリンポンプ５００を駆動する入力手段及び他のブルートゥースチップからの信号を受け、設定された駆動ができるようになっている。ブルートゥースチップ７００自体は、図９と同様の構成であるためここでの説明を省略する。
【００３４】
図１１は、本発明を実行するブロック構成例示図で、インシュリンポンプ（Ｐ１−Ｐｎ）と対応する血糖測定器（Ｂ１−Ｂｎ）が各々のブルートゥースチップ７００を内蔵して相互通信を可能にし、同時に集中制御機能を有するブルートゥース通信装置３００を備える。ブルートゥース通信装置３００は、送受信部３５０と、通信制御部３４０からなる。送受信部３５０は、本体８１０にブルートゥースチップ７００を内蔵したコンピュータ８００と交信し、データを取り交わすことができるようになっている。８２０はモニター、８３０はキーボード、８０１は一般のコンピュータを示している。
【００３５】
図１２は、インシュリンポンプ５００と血糖測定器６００とのデータを認識してインシュリンポンプ５００の作動を制御するように、インシュリンポンプ５００の制御部１７０が実行する処理のフローチャートを示した図面で、まず、予備段階で該当するインシュリンポンプ５００と血糖測定器６００にＩＤを付与する（Ｓ０）。
【００３６】
続いて該当するＩＤの機器（血糖測定器６００）から血糖値データが入力されたか否かを判定する（Ｓ１）。
【００３７】
血糖値データ入力されている場合には（Ｓ１でＹＥＳ）、入力されたデータを累積し、異常可否を判断する（Ｓ２）。
【００３８】
異常がなければ（Ｓ２でＮＯ）、既存通り作動するように指示する（Ｓ３）。
【００３９】
異常があれば（Ｓ２でＹＥＳ）、インシュリンポンプ作動量を変更するように指示し、第１段階（Ｓ１）を実行するようにする（Ｓ４）。
【００４０】
前記段階（Ｓ１）でデータ入力がなかった場合（Ｓ１でＮＯ）、機器の故障と見なし、機器の使用者を直接探して処理するように非常警報を出力する（Ｓ５）。
【００４１】
前記段階（Ｓ１）に続いて入力元の機器がサーバーで設定した機器である場合、対応する測定器ごとの測定データを累積して異常可否を判断する（Ｓ６）。
【００４２】
前記段階（Ｓ６）で異常と判断する場合、該当ＩＤに対応するインシュリンポンプの注入量を変更する（Ｓ７）。もちろん異常でなければ前記段階（Ｓ３）を実行する。
【００４３】
図１３は、本発明のブルートゥース通信装置３００で受信したデータをサーバーとしてのコンピュータ８００により受信し、これに基づき指令可能な構成において、本体８１０へ格納したプログラムにより実行される処理のフローチャートである。まず、基本設定モードを実行するように指令し（Ｈ1）、対応する機器から血糖値が入力されたと判定されると（Ｈ２でＹＥＳ）、対応するインシュリンポンプ５００に対して血糖値に相応する設定注入量を注入するように指令する（Ｈ３）。
【００４４】
前記段階（Ｈ３）で医師モードが必要な場合（Ｈ４）、医師モードによるインシュリンポンプの駆動を最優先で実行するようにし（Ｈ５）、医師モードが完了したら前記段階（Ｈ１）を実行するようにする（Ｈ６）。
【００４５】
これと同様に構成された本発明は、一般的に使用するブルートゥースチップ７００をインシュリンポンプ５００と血糖測定器６００に内蔵させ、同時にこれらの機器５００、６００と通信するブルートゥース通信装置３００とブルートゥース通信装置３００と交信し、サーバー機能を実行するコンピュータ８００を備える。
【００４６】
本発明は、個人がインシュリンポンプ５００と血糖測定器６００との相互間のブルートゥースチップ７００を使用して通信可能にすることで、使用者がインシュリンポンプ５００を別途に操作することなく、使用者が血糖測定器６００を使用して測定した血糖値に対応してインシュリンポンプ５００の注入量を変更して使用可能にする利便性を提供する。
【００４７】
これによると図８及び図１２と同様、インシュリンポンプ５００と対応する血糖測定値６００が相互交信可能なようにＩＤを付与された状態で（Ｓ０）、該当するＩＤの血糖測定器６００からの血糖測定値（もちろん使用者が血糖測定器６００を使用し血糖を測定しなければならない）がブルートゥースチップ７００を介して受信される（Ｓ１）。
【００４８】
インシュリンポンプ５００はこれを累積し、一時的か持続的かを基礎として、予め記憶された基準値と比較することにより異常可否を判断する（Ｓ２）。異常と判断されたら、インシュリンポンプ５００の注入量を変更して注入する（Ｓ４）。前記（Ｓ１）でデータの入力自体がなかったら異常と見なされ警報を出力する（Ｓ５）。
【００４９】
一方、本発明はインシュリンポンプ５００を医師が携帯しながら、一種の簡易サーバー機能を実行することもできるようにしており、これは前記段階（Ｓ１）に続いて該当するインシュリンポンプ５００がサーバーとして設定された場合、どのＩＤの血糖測定器から入力されたものであるかをＩＤ別に区分して累積し、各ＩＤ別で異常可否を判断するようにする（Ｓ６）。
【００５０】
続いて、異常があると判断されたら、当該ＩＤに対応して設定されたインシュリンポンプ５００の注入量を変更させるため、インシュリンポンプ５００の注入量を変更するブルートゥース通信装置３００を介して、対応するインシュリンポンプ５００の駆動を指令する（Ｓ７）。
【００５１】
一方、本発明は図８に示すように、コンピュータ８００をパーソナルコンピュータ８０１とインターネット網を介して接続すると、外国でも患者の注入量を医師が調節することができる。もちろんこのためにはＩＰアドレス等の設定により相互間の通信状態を確立し、コンピュータ８００がサーバーで作動するようにブルートゥース通信装置と連携するプログラムを設置しなければならない。
【００５２】
本発明は、また図１１及び図１３と同様に、多数の患者がインシュリンポンプ（５００：Ｐ１−Ｐｎ）と対応する血糖測定器（６００：Ｂ１−Ｂｎ）とを１セットとして使用できるようにＩＤを付与し、この状態でインシュリンポンプ（Ｐ１−Ｐｎ）と対応する血糖測定器（Ｂ１−Ｂｎ）を相互間に対で指定し、別途のブルートゥース通信装置３００を備えて相互間の通信を可能に構成した場合、図８及び図１２に示すように、各インシュリンポンプ５００と各血糖測定器６００との相互間の通信が可能となる。ただし、インシュリンポンプ５００と血糖測定値器６００はブルートゥース通信装置３００を通じて相互通信ができるだけでなく、ブルートゥース通信装置３００は、また、同様に本体８１０にブルートゥース７００を有するコンピュータ８００を、サーバーとして機能するようにする。すなわち、コンピュータ８００の本体８１０は、ブルートゥース通信装置３００及びインシュリンポンプ５００のブルートゥース７００を通じて、基本モードや該当する各者の設定モードで作動するように、インシュリンポンプ５００を作動するように指令する（Ｈ１）。この状態でコンピュータ８００は、やはりブルートゥース通信装置３００を通じて該当するＩＤの血糖測定器（６００：例えばＢ１）から血糖値が入力されるかを判定する（Ｈ２）。コンピュータ８００は、設定プログラムを基礎として、キー入力された基準値と比較することにより対応する相応注入量を算出し、これに基づいてブルートゥース通信装置３００を通してインシュリンポンプ５００を作動させるようになっている（Ｈ３）。
【００５３】
前記段階（Ｈ３）の算出値に基づき、医師の処置が必要な場合であれば（Ｈ４）、キーボード８３０により医師が入力した注入量に対応する駆動を他のモードに最優先で実行するようになっている（Ｈ５）。
【００５４】
医師モードは、医師が時間を決めて指示することもでき、測定値が正常であれば正常一般モードを実行できるようにすればよい。従って、指定した方式の通り医師モードが完了したら（Ｈ６）、前記段階（Ｈ１）を実行するようにする。
【００５５】
以上、本発明の好適な一実施態様について説明したが、前記実施態様に限定されず、本発明の技術思想に基づいて種々の変形が可能である。
【図面の簡単な説明】
【００５６】
【図１】本発明が適用されるインシュリンポンプの斜示図。
【図２】図１の制御ブロック構成図。
【図３】一般的な血糖測定器の断面図。
【図４】図３の血糖測定器のブロック構成図。
【図５】血糖値に対応するインシュリン投入量を示すタイムチャート。
【図６】一般的なブルートゥース通信装置の使用例を示すブロック構成図。
【図７】図６のブルートゥース通信装置の一例を示すブロック構成図。
【図８】本発明のブロック構成図。
【図９】本発明のインシュリンポンプの構成ブロック図。
【図１０】本発明の血糖値測定器の構成ブロック図。
【図１１】本発明のインシュリンランプと血糖測定値とを、ブルートゥース通信装置を使用して、コンピュータのサーバーにより制御する構成を示したブロック図。
【図１２】本発明をインシュリンポンプが実行する処理を示すフローチャート。
【図１３】本発明をサーバーコンピュータが実行する処理を示すフローチャートである。
【符号の説明】
【００５７】
３００    ブルートゥース通信装置
３１０    ＲＦ送信部
３２０    ＲＦ受信部
３３０    基底帯域処理部
３４０    通信制御部
３５０    送受信部
５００    インシュリンポンプ
６００    血糖測定器
７００    ブルートゥースチップ
８００    コンピュータ
８１０    本体
【図１】
2005296428.tif 000003
【図２】
2005296428.tif 000004
【図３】
2005296428.tif 000005
【図４】
2005296428.tif 000006
【図５】
2005296428.tif 000007
【図６】
2005296428.tif 000008
【図７】
2005296428.tif 000009
【図８】
2005296428.tif 000010
【図９】
2005296428.tif 000011
【図１０】
2005296428.tif 000012
【図１１】
2005296428.tif 000013
【図１２】
2005296428.tif 000014
【図１３】
2005296428.tif 000015